(57)【要約】【課題】グループオブジェクトの表示画面から、下位層のオブジェクトに付されている固有の属性について設定変更が可能な作画装置を提供する。【解決手段】制御用ホストコンピュータ７は、編集制御部１１、属性指定部１１、フラグ書換部１２、グループオブジェクト作成部１３、フラグ認識部１４および属性表示部１５を備え、ＲＡＭ１７と接続されている。ユーザによって上位公開する属性が指定されると、属性指定部１１に入力され、フラグ書換部１２が外部の記憶手段に格納されているその属性情報のフラグを書き換える。グループオブジェクト作成部１３が、グループオブジェクトを作成し、フラグ認識部１４が、フラグ書換手段１２によってフラグが書き換えられた属性の有無を認識し、属性表示部１５が、フラグ付きの属性を表示させる。【選択図】  図１
2004302636.tif 000002
【特許請求の範囲】
【請求項１】
表示対象となるオブジェクトが指定された場合、各オブジェクトを、それぞれに付された属性とともに記憶する記憶媒体から、上記表示対象となるオブジェクトに付された属性を読み出し、各属性の内容を表示する表示手段を有する情報処理装置において、
上記表示対象のオブジェクトが複数のオブジェクトを含むグループオブジェクトである場合、上記記録媒体に記録された属性のうち、上記複数のオブジェクトに付されている各属性に、上位公開することを示すフラグが付されているか否かを判定するフラグ判定手段と、
上記フラグ判定手段が認識したフラグ付きの属性の内容を、上記グループオブジェクトの属性として上記表示手段に表示させる属性表示手段と、を備えていることを特徴とする情報処理装置。
【請求項２】
上記上位公開された属性の内容を、上記グループオブジェクトの表示画面上から変更する属性編集手段を備えていることを特徴とする請求項１に記載の情報処理装置。
【請求項３】
上記表示手段にその内容が表示されている属性に対して、上位公開するか否かの指示を受け付ける属性指定手段と、
上記指示に応じて、上記記憶媒体に記録された属性に付されたフラグに関する情報を書き換えるフラグ書換手段と、を備えていることを特徴とする請求項１または２に記載の情報処理装置。
【請求項４】
表示対象となる描画オブジェクトが指定された場合、各描画オブジェクトを、それぞれに付された属性とともに記憶する記憶媒体から、上記表示対象となる描画オブジェクトに付された属性を読み出し、各属性の内容を表示する表示手段を有する作画装置において、
上記表示対象となるオブジェクトが複数の描画オブジェクトを含むグループオブジェクトである場合、上記記録媒体に記録された属性のうち、上記複数の描画オブジェクトに付されている各属性に、上位公開することを示すフラグが付されているか否かを判定するフラグ判定手段と、
上記フラグ判定手段が認識したフラグ付きの属性の内容を、上記グループオブジェクトの属性として上記表示手段に表示させる属性表示手段と、を備えていることを特徴とする作画装置。
【請求項５】
上記上位公開された属性の内容を、上記グループオブジェクトの表示画面上から変更する属性編集手段を備えていることを特徴とする請求項４に記載の作画装置。
【請求項６】
上記表示手段にその内容が表示されている属性に対して、上位公開するか否かの指示を受け付ける属性指定手段と、
上記指示に応じて、上記記憶媒体に記録された属性に付されたフラグに関する情報を書き換えるフラグ書換手段と、を備えていることを特徴とする請求項４または５に記載の作画装置。
【請求項７】
上記属性表示手段は、上記上位公開された属性の内容を上位層のグループオブジェクトに付されている他の属性と差別化して表示することを特徴とする請求項４〜６の何れか１項に記載の作画装置。
【請求項８】
上記属性表示手段は、上記上位公開した属性について、該属性の内容にその属性が付されているオブジェクト名を合わせて表示することを特徴とする請求項４〜７の何れか１項に記載の作画装置。
【請求項９】
表示対象となる描画オブジェクトが指定された場合、各描画オブジェクトを、それぞれに付された属性とともに記憶する記憶媒体から、上記表示対象となる描画オブジェクトに付された属性を読み出し、各属性の内容を表示する表示手段を有する作画方法において、
フラグ判定手段が、上記表示対象となるオブジェクトが複数の描画オブジェクトを含むグループオブジェクトである場合、上記記録媒体に記録された属性のうち、上記複数の描画オブジェクトに付されている各属性に、上位公開することを示すフラグが付されているか否かを判定するステップと、
属性表示手段が、上記フラグ判定手段が認識したフラグ付きの属性の内容を、上記グループオブジェクトの属性として上記表示手段に表示させるステップと、を備えていることを特徴とする作画方法。
【請求項１０】
属性編集手段が、上記上位公開された属性の内容を、上記グループオブジェクトの表示画面上から変更するステップを備えていることを特徴とする請求項９に記載の作画方法。
【請求項１１】
属性指定手段が、上記表示手段にその内容が表示されている属性に対して、上位公開するか否かの指示を受け付けるステップと、
フラグ書換手段が、上記指示に応じて、上記記憶媒体に記録された属性に付されたフラグに関する情報を書き換えるステップと、を備えていることを特徴とする請求項９または１０に記載の作画方法。
【請求項１２】
請求項４〜８の何れか１項に記載の作画装置の上記手段としてコンピュータを機能させることを特徴とする作画プログラム。
【請求項１３】
請求項４〜８の何れか１項に記載の作画装置の上記手段としてコンピュータを機能させる作画プログラムを記録したことを特徴とするコンピュータ読み取り可能な記録媒体。
【発明の詳細な説明】
【０００１】
【発明の属する技術分野】
本発明は、複数のオブジェクトをグループ化し、ツリー型のデータ構造を形成して処理等を行う情報処理装置、作画装置および作画方法、作画プログラムならびにこれを記録したコンピュータ読み取り可能な記録媒体に関するものである。
【０００２】
【従来の技術】
プログラマブル・ロジック・コントローラ（以下、「ＰＬＣ」と示す）などと呼ばれる産業用制御装置は、シーケンス制御をはじめとする各種制御を実現するために、ＣＰＵおよびメモリを中心とするハードウェアの部分と、制御を司るソフトウェアの部分とを備えている。
【０００３】
そして、プログラマブル表示器は、ドット表示画面、操作用入力スイッチ、ホストコントローラ（ＰＬＣ）とのインターフェース、画面上での操作入力のような制御のためのプログラムメモリなどを備えた操作用表示器である。
【０００４】
一般に、プログラマブル表示器は、グラフィック表示を行うので、操作盤、スイッチ、表示灯などの機能を備えることができる他、制御対象機器（デバイス）の稼働状況や作業指示のような管理のための各種のモニタ、機器に対する設定値を入力する端末としての機能を備えている。
【０００５】
さらに、近年では、制御対象機器を接続するための入出力ユニットなどを搭載することによって、ＰＬＣの制御機能を備えたプログラマブル表示器も登場してきている。
【０００６】
このようなプログラマブル表示器で表示される制御画面（表示内容プログラム）は、画面作成ソフトウェア（作画エディタ）を用いてユーザ独自で作成できるようになっている。画面作成に際しては、ユーザが、パーソナルコンピュータなどにおいて作画エディタによって提供されるスイッチ、ランプ、テンキー、メータ表示器、グラフ表示器などの部品（マーク）、描画機能などを用いて所望の制御画面を構成する。
【０００７】
作成された制御画面は、画面データとしてプログラマブル表示器に転送されて記憶される。ＰＬＣの稼働時には、プログラマブル表示器は、ＰＬＣとの間でやり取りされるデータに基づいて、制御対象機器の動作状態に応じて制御画面上に各部品や図形を表示させる。
【０００８】
ここで、従来の作画装置が備えている作画エディタについて、図１２〜図１４に示す画面表示例を参照しながら説明する。
【０００９】
このような作画エディタでは、各描画オブジェクトをグループ化してグループオブジェクトを作成した場合には、表示画面において、グループオブジェクトに付された属性が表示される（特許文献１参照）。
【００１０】
例えば、図１２に示す「四角」を描画するための描画オブジェクトと、図１３に示す「円」を描画するための描画オブジェクトとをグループ化した場合には、図１４に示すグループオブジェクトに付された属性のみが画面に表示される。
【００１１】
すなわち、図１４に示す例では、図１２で描画した「四角」および図１３で描画した「円」の双方を含むグループオブジェクトに付された属性である「上位置」、「左位置」、「幅」、「高さ」、「アニメーション」のみが表示され、このグループ化された画面上では、これらの属性について設定を変更することで、グループオブジェクトの設定を変更できる。
【００１２】
【特許文献１】
特願２００１−２６６１７１号公報（公開日２００１年９月２８日）
【００１３】
【発明が解決しようとする課題】
しかしながら、上述のような従来のプログラマブル表示器は、以下に示すような問題を有している。
【００１４】
すなわち、従来のプログラマブル表示器において、図１４に示すように、図１２および図１３に示す描画オブジェクトをグループ化してグループオブジェクトを形成した場合には、例えば、「線種」、「線幅」、「パターン」等の各描画オブジェクトに固有の属性項目を画面に表示することができない。
【００１５】
このため、グループ化した後で、「線種」等、各描画オブジェクトに固有の属性の設定を変更する場合には、図１４に示すグループオブジェクト形成後の表示画面において、一旦グループ化を解除し、グループ化する前の図１２あるいは図１３に示す下位層のオブジェクトまで戻って設定変更する必要があるため、処理効率が悪くなってしまう。
【００１６】
本発明は、上記の問題点に鑑みてなされたものであり、その目的は、グループオブジェクトを形成した場合でも、上位層であるグループオブジェクトの表示画面において、下位層のオブジェクトに付されている固有の属性について表示することが可能な情報処理装置、作画装置および作画方法、作画プログラム並びにこれを記録したコンピュータ読み取り可能な記録媒体を提供することにある。
【００１７】
【課題を解決するための手段】
本発明の情報処理装置は、上記の課題を解決するために、表示対象となるオブジェクトが指定された場合、各オブジェクトを、それぞれに付された属性とともに記憶する記憶媒体から、上記表示対象となるオブジェクトに付された属性を読み出し、各属性の内容を表示する表示手段を有する情報処理装置において、上記表示対象のオブジェクトが複数のオブジェクトを含むグループオブジェクトである場合、上記記録媒体に記録された属性のうち、上記複数のオブジェクトに付されている各属性に、上位公開することを示すフラグが付されているか否かを判定するフラグ判定手段と、上記フラグ判定手段が認識したフラグ付きの属性の内容を、上記グループオブジェクトの属性として上記表示手段に表示させる属性表示手段と、を備えていることを特徴としている。
【００１８】
上記の構成によれば、複数のオブジェクトをグループ化したグループオブジェクトに付された属性を表示する表示画面において、下位層のオブジェクトに付されている該オブジェクトに固有の属性の内容を表示することができる。
【００１９】
すなわち、本発明の情報処理装置は、フラグ判定手段が、グループ化される複数のオブジェクトに付されている属性に関する情報が記録された記録媒体に対してアクセスして、上位公開することを示すフラグが付された属性があるか否かを判定し、該フラグが付された属性がある場合には、その属性を認識して属性表示手段に伝達する。
【００２０】
そして、属性表示手段は、フラグ判定手段から伝達されたフラグ付きの属性をグループオブジェクトに付された属性としてその内容を上位公開する。
【００２１】
なお、上位公開とは、フラグ判定手段が認識したフラグ付きの属性の内容を、上位層であるグループオブジェクトの属性の内容として、表示手段に表示することをいう。
【００２２】
これにより、グループオブジェクトの表示画面に、従来は表示されなかった下位層のオブジェクトに付されている属性の内容を表示することができる。
【００２３】
このため、下位層のオブジェクトだけに付されているそのオブジェクトに固有の属性の内容を確認する場合でも、グループ化を解除して下位層のオブジェクトまで戻って確認する必要が無くなり、ユーザの操作性を向上させることができる。
【００２４】
なお、上記フラグは、グループ化するオブジェクトの属性に関する情報が格納されているテーブル上で書き換えられる等、上位公開する属性をグループオブジェクトと関連付けることが可能な方法であれば、特に限定されるものではない。
【００２５】
また、グループ化は、オブジェクトをグループ化するだけでなく、グループオブジェクトをグループ化してさらに上位層のグループオブジェクトを作成し、オブジェクトの複数段のツリー構造を形成した場合でも、最上層のグループオブジェクトについて同様に適用可能である。
【００２６】
上記上位公開された属性の内容を、上記グループオブジェクトの表示画面上から変更する属性編集手段を備えていることがより好ましい。
【００２７】
これにより、上位公開した属性について属性の内容を設定変更する場合には、グループ化を解除して下位層のオブジェクトまで戻らなくても、上位層のグループオブジェクトの表示画面上から上位公開された属性の内容を設定変更することができる。このため、ユーザの操作性をさらに向上させることができる。
【００２８】
上記表示手段にその内容が表示されている属性に対して、上位公開するか否かの指示を受け付ける属性指定手段と、上記指示に応じて、上記記憶媒体に記録された属性に付されたフラグに関する情報を書き換えるフラグ書換手段と、を備えていることがより好ましい。
【００２９】
これにより、ユーザによって、各オブジェクトの属性のうち、グループオブジェクトの表示画面に上位公開する属性名が指定されると、その属性が属性指定手段に入力される。
【００３０】
すると、フラグ書換手段が、外部の記憶部に格納された属性に関する情報のうち、上位公開する属性に付されたフラグを書き換える。
【００３１】
よって、ユーザは、各オブジェクトに付されている属性の中から、所望の属性名を指定して、上位公開することを示すフラグに書き換えることができる。このため、自分が希望する属性の内容をグループオブジェクトに上位公開することが可能になる。
【００３２】
本発明の作画装置は、上記の課題を解決するために、表示対象となる描画オブジェクトが指定された場合、各描画オブジェクトを、それぞれに付された属性とともに記憶する記憶媒体から、上記表示対象となる描画オブジェクトに付された属性を読み出し、各属性の内容を表示する表示手段を有する作画装置において、上記表示対象となるオブジェクトが複数の描画オブジェクトを含むグループオブジェクトである場合、上記記録媒体に記録された属性のうち、上記複数の描画オブジェクトに付されている各属性に、上位公開することを示すフラグが付されているか否かを判定するフラグ判定手段と、上記フラグ判定手段が認識したフラグ付きの属性の内容を、上記グループオブジェクトの属性として上記表示手段に表示させる属性表示手段と、を備えていることを特徴としている。
【００３３】
上記の構成によれば、複数の描画オブジェクトをグループ化したグループオブジェクトに付された属性の内容を表示する表示画面において、下位層の描画オブジェクトに付されている該描画オブジェクトに固有の属性の内容を表示することができる。
【００３４】
すなわち、本発明の作画装置は、フラグ判定手段が、グループ化される複数の描画オブジェクトに付されている属性に関する情報が記録された記録媒体に対してアクセスして、上位公開することを示すフラグが付された属性があるか否かを判定し、該フラグが付された属性がある場合には、その属性を認識して属性表示手段に伝達する。
【００３５】
そして、属性表示手段は、フラグ判定手段から伝達されたフラグ付きの属性をグループオブジェクトに付された属性としてその内容を上位公開する。
【００３６】
これにより、グループオブジェクトの表示画面に、従来は表示されなかった下位層の描画オブジェクトに付されている属性の内容を表示することができる。
【００３７】
このため、下位層の描画オブジェクトだけに付されているその描画オブジェクトに固有の属性の内容を確認する場合でも、グループ化を解除して下位層の描画オブジェクトまで戻って確認する必要が無くなり、ユーザの操作性を向上させることができる。
【００３８】
なお、上記フラグは、グループ化する描画オブジェクトの属性に関する情報が格納されているテーブル上で書き換えられる等、上位公開する属性をグループオブジェクトと関連付けることが可能な方法であれば、特に限定されるものではない。
【００３９】
また、グループ化は、描画オブジェクトをグループ化するだけでなく、グループオブジェクトをグループ化してさらに上位層のグループオブジェクトを作成し、描画オブジェクトの複数段のツリー構造を形成した場合でも、最上層のグループオブジェクトについて同様に適用可能である。
【００４０】
上記上位公開された属性の内容を、上記グループオブジェクトの表示画面上から変更する属性編集手段を備えていることがより好ましい。
【００４１】
これにより、上位公開した属性についてその内容を設定変更する場合には、グループ化を解除して下位層の描画オブジェクトまで戻らなくても、上位層のグループオブジェクトの表示画面上から上位公開された属性の内容を設定変更することができる。このため、ユーザの操作性をさらに向上させることができる。
【００４２】
上記表示手段にその内容が表示されている属性に対して、上位公開するか否かの指示を受け付ける属性指定手段と、上記指示に応じて、上記記憶媒体に記録された属性に付されたフラグに関する情報を書き換えるフラグ書換手段と、を備えていることがより好ましい。
【００４３】
これにより、ユーザによって、各描画オブジェクトの属性のうち、グループオブジェクトの表示画面に上位公開する属性名が指定されると、その属性が属性指定手段に入力される。
【００４４】
すると、フラグ書換手段が、外部の記憶部に格納された属性に付されたフラグに関する情報のうち、上位公開する属性に付されたフラグを書き換える。
【００４５】
よって、ユーザは、各描画オブジェクトに付されている属性の中から、所望の属性名を指定して、上位公開することを示すフラグに書き換えることができる。このため、自分が希望する属性の内容をグループオブジェクトに上位公開することが可能になる。
【００４６】
上記属性表示手段は、上記上位公開された属性の内容を上位層のグループオブジェクトに付されている他の属性と差別化して表示することがより好ましい。
【００４７】
これにより、ユーザは、上位公開されている属性の内容を容易に認識することができる。
【００４８】
なお、上位公開する差別化して表示する方法としては、上位公開する属性について、文字の色を変える、文字の太さを変える等の方法が挙げられる。
【００４９】
上記属性表示手段は、上記上位公開した属性について、該属性の内容にその属性が付されたオブジェクト名を合わせて表示することがより好ましい。
【００５０】
これにより、ユーザは、上位公開した属性が元々どのオブジェクトに属するものであるかを容易に理解できる。
【００５１】
よって、上位公開を解除する場合には、すぐにそのオブジェクトまで戻って上位公開の指定を解除することができる。
【００５２】
本発明の作画方法は、上記の課題を解決するために、表示対象となる描画オブジェクトが指定された場合、各描画オブジェクトを、それぞれに付された属性とともに記憶する記憶媒体から、上記表示対象となる描画オブジェクトに付された属性を読み出し、各属性の内容を表示する表示手段を有する作画方法において、フラグ判定手段が、上記表示対象となるオブジェクトが複数の描画オブジェクトを含むグループオブジェクトである場合、上記記録媒体に記録された属性のうち、上記複数の描画オブジェクトに付されている各属性に、上位公開することを示すフラグが付されているか否かを判定するステップと、属性表示手段が、上記フラグ判定手段が認識したフラグ付きの属性の内容を、上記グループオブジェクトの属性として上記表示手段に表示させるステップと、を備えていることを特徴としている。
【００５３】
上記の作画方法によれば、複数の描画オブジェクトをグループ化したグループオブジェクトに付された属性の内容を表示する表示画面において、下位層の描画オブジェクトに付されている該描画オブジェクトに固有の属性の内容を表示することができる。
【００５４】
すなわち、本発明の作画方法は、フラグ判定手段が、グループ化される複数の描画オブジェクトに付されている属性に関する情報が記録された記録媒体に対してアクセスして、上位公開することを示すフラグが付された属性があるか否かを判定し、該フラグが付された属性がある場合には、その属性を認識して属性表示手段に伝達する。
【００５５】
そして、属性表示手段は、フラグ判定手段から伝達されたフラグ付きの属性の内容をグループオブジェクトに付された属性としてその内容を上位公開する。
【００５６】
これにより、グループオブジェクトの表示画面に、従来は表示されなかった下位層の描画オブジェクトに付されている属性の内容を表示することができる。
【００５７】
このため、下位層の描画オブジェクトだけに付されているその描画オブジェクトに固有の属性の内容を確認する場合でも、グループ化を解除して下位層の描画オブジェクトまで戻って確認する必要が無くなり、ユーザの操作性を向上させることができる。
【００５８】
なお、上記フラグは、グループ化する描画オブジェクトの属性に関する情報が格納されているテーブル上で書き換えられる等、上位公開する属性をグループオブジェクトと関連付けることが可能な方法であれば、特に限定されるものではない。
【００５９】
また、グループ化は、描画オブジェクトをグループ化するだけでなく、グループオブジェクトをグループ化してさらに上位層のグループオブジェクトを作成し、描画オブジェクトの複数段のツリー構造を形成した場合でも、最上層のグループオブジェクトについて同様に適用可能である。
【００６０】
属性編集手段が、上記上位公開された属性の内容を、上記グループオブジェクトの表示画面上から変更するステップを備えていることがより好ましい。
【００６１】
これにより、上位公開した属性について属性値の設定を変更する場合には、グループ化を解除して下位層の描画オブジェクトまで戻らなくても、上位層のグループオブジェクトの表示画面上から上位公開された属性値の設定を変更することができる。このため、ユーザの操作性をさらに向上させることができる。
【００６２】
属性指定手段が、上記表示手段にその内容が表示されている属性に対して、上位公開するか否かの指示を受け付けるステップと、フラグ書換手段が、上記指示に応じて、上記記憶媒体に記録された属性のフラグに関する情報を書き換えるステップと、を備えていることがより好ましい。
【００６３】
これにより、ユーザによって、各描画オブジェクトの属性のうち、グループオブジェクトの表示画面に上位公開する属性名が指定されると、その属性が属性指定手段に入力される。
【００６４】
すると、フラグ書換手段が、外部の記憶部に格納された属性に関する情報のうち、上位公開する属性に付されたフラグを書き換える。
【００６５】
よって、ユーザは、各描画オブジェクトに付されている属性に関する情報の中から、所望の属性名を指定して、上位公開することを示すフラグに書き換えることができる。このため、自分が希望する属性の内容をグループオブジェクトに上位公開することが可能になる。
【００６６】
本発明の作画プログラムは、上記の課題を解決するために、上記作画装置の上記手段としてコンピュータを機能させることを特徴としている。
【００６７】
上記の構成によれば、上記プログラムによって、上記作画装置を実現することができる。
【００６８】
本発明の記録媒体は、上記の課題を解決するために、上記作画装置の上記手段としてコンピュータを機能させる作画プログラムを記録したことを特徴としている。
【００６９】
上記の構成によれば、上記記録媒体から読み出された作画プログラムによって、上記作画装置を実現することができる。
【００７０】
【発明の実施の形態】
本発明の情報処理装置、作画装置および作画方法、作画プログラム並びにこれを記録したコンピュータ読み取り可能な記録媒体に関する一実施形態について、図１〜図１１に基づいて説明すれば以下のとおりである。
【００７１】
本実施形態の作画装置は、例えば、図２に示すような、制御用ホストコンピュータ（作画装置）７の一機能として実現される。
【００７２】
図２に示すように、上記制御用ホストコンピュータ７を備えた制御システム１は、ターゲットシステム２を制御するプログラマブル・ロジック・コントローラ（以下、「ＰＬＣ」と記す。）３と、シリアルケーブル４を介してＰＬＣ３に接続され、多くの場合、ターゲットシステム２の近傍でターゲットシステム２のオペレータにより操作されるプログラマブル表示器５と、上記制御用ホストコンピュータ７および各プログラマブル表示器５間を接続するネットワーク６とが設けられている。
【００７３】
上記ターゲットシステム２は、例えば、バルブやモータなど、指示に応じた動作を行う制御対象機器、あるいは、例えば、流量センサや温度センサなど、ターゲットシステム２各部の状態を検出するセンサなどのデバイス８を備えている。そして、上記ＰＬＣ３は、各デバイス８と通信しながら、あらかじめ格納された制御プログラムに従って、各デバイス８を制御している。なお、当該制御プログラムは、例えば、制御用ホストコンピュータ７からプログラム表示器５を介して配信するなどして、各ＰＬＣ３に伝送される。
【００７４】
上記プログラマブル表示器５は、画像データに基づいて入力および画面表示を制御可能な表示器であって、シリアルケーブル４に接続されるＰＬＣ側通信処理部５１と、ネットワーク６に接続されるネットワーク側通信処理部５２と、両者の通信を中継するプロトコル変換部５３とに加えて、画面データ等を記憶する記憶装置５４と、画面データやオペレータの操作や通信結果などに基づいてディスプレイ（画像表示装置）５６への表示処理を行う表示処理部５５とを備えている。
【００７５】
ここで、上記ＰＬＣ３は、シリアルケーブル４を介して、プログラマブル表示器５と接続されており、当該ＰＬＣ３が通信可能な専用プロトコルで、プログラム表示器５と通信する。一方、上記ネットワーク６は、例えば、イーサネット（登録商標：ゼロックス社）などのＬＡＮ（ローカル・エリア・ネットワーク）であり、各プログララマブル表示器５や制御用ホストコンピュータ７は、共通プロトコルであるＴＣＰ／ＩＰプロトコルによって相互に通信している。そこで、上記の専用プロトコルと共通プロトコルとが互いに異なる場合、上記プロトコル変換部５３によって、両プロトコルを相互に変換する。
【００７６】
また、ディスプレイ５６は、液晶パネルやＥＬパネルのような平板型表示素子によって構成されている。そして、ディスプレイ５６の表示画面上には、入力を行うためのタッチパネルが設けられている。
【００７７】
一方、上記制御用ホストコンピュータ７は、制御システム１全体の監視制御を行う表示処理部７１と、ネットワーク６に接続される共通プロトコルインタフェース部（以下、「共通プロトコルＩＦ部」と記す。）７４と、共通プロトコルＩＦ部７４およびネットワーク６を介して各プログラマブル表示器５と通信して、表示処理部７１などの要求に応じるサーバ部７３とを備えており、多くの場合、プログラマブル表示器５よりも離れた場所から、ターゲットシステム２やＰＬＣ３あるいはプログラマブル表示器５の状態をディスプレイ（表示手段）７２に表示したり制御できる。
【００７８】
また、上記制御用ホストコンピュータ７には、プログラマブル表示器５の画面データを作成する作画エディタ部７０と、作成した画面データ等を格納する記憶装置７５とが設けられており、各プログラマブル表示器５の表示／制御動作を規定する画面データは、作画エディタ部７０で集約して作成（修正）された後、サーバ部７３、共通プロトコルＩＦ部７４およびネットワーク６を介して、各プログラマブル表示器５へ配布される。
【００７９】
本実施形態の制御用ホストコンピュータ７では、ＣＰＵが、ＲＯＭ等の記憶装置７５、ＲＡＭ１７等のメモリに格納された各種のアプリケーションプログラムを実行し、ディスプレイ７２等のハードウェアを制御することにより、各種の機能を実現する機能ブロックとして作画エディタ７０、および表示処理部７１、サーバ部７３、共通プロトコルＩＦ部７４、記憶装置７５を形成している。
【００８０】
上記の構成では、まず、制御システム１の使用者は、制御用ホストコンピュータ７の作画エディタ部７０を操作し、ターゲットシステム２の実情やプログラマブル表示器５のオペレータの習熟度や好みに合わせて、画面データを作成・修正する。つぎに、作成された画面データは、例えば、シミュレーションや接続試験などによって、正常に動くことが確認された後、プログラマブル表示器５に配信されて、プログラマブル表示器５が画面データに応じた表示を開始する。
【００８１】
このように、プログラマブル表示器５で表示される画面データを、制御用ホストコンピュータ７で一括して管理できるため、多くの場所で並行して管理する場合に比べて、画面データの管理が容易である。
【００８２】
つづいて、制御用ホストコンピュータ７に実現される作画装置について、詳細に説明すれば以下のとおりである。
【００８３】
まず、上記作画装置によって保存・書換がされるデータについて説明する。
【００８４】
本発明の作画装置で扱うデータは、描画オブジェクトをグループ化したグループオブジェクトに関する情報、描画オブジェクトに関する情報、その描画オブジェクトに付されている属性に関する情報から構成されている。
【００８５】
そして、オブジェクトに属性が付されている場合、そのオブジェクトにその属性の名前を示す属性名と、その属性の内容を示す属性値との組み合わせが関連付けた状態で、また、フラグは、上位公開する属性あるいは上位公開しない属性に関連付けた状態で記憶装置７５に記憶されている、
具体的には、図３に示すように、各オブジェクトについて、名前属性（属性名が名前という属性）が付されており、その名前属性の属性値は、例えば、「四角」等、そのオブジェクトの名前となっている。
【００８６】
また、「線」を示すオブジェクトには、線種属性が付されており、その属性値として、実線、破線、点線、…等を設定することができる。
【００８７】
さらに、グループオブジェクトについては、そのオブジェクトに関連して、そのグループオブジェクトに含まれている各オブジェクトのリストが記憶されている。
【００８８】
なお、これらの属性情報は、ディスプレイ７２に表示される際には、記憶装置７５から取り出されて、図１に示すＲＡＭ１７に保存される。
【００８９】
作画エディタ部７０は、図１に示すように、属性指定部（属性指定手段）１１、フラグ書換部（フラグ書換手段）１２、グループオブジェクト作成部（グループオブジェクト作成手段）１３、フラグ認識部（フラグ判定手段）１４、属性表示部（属性表示手段）１５および属性編集部（属性編集手段）１６を備え、ＲＡＭ１７と接続されている。
【００９０】
属性指定部１１は、ユーザによって書き換えられた、上位公開することを示すフラグが付された属性に関する情報を受信する。
【００９１】
フラグ書換部１２は、属性指定部１１に入力された上位公開する属性についての情報が格納されている記憶装置７５において、フラグを上位公開することを示すフラグに書き換える。
【００９２】
グループオブジェクト作成部１３は、ユーザがグループ化することを指定した複数のオブジェクトをまとめて、グループオブジェクトを作成する。
【００９３】
フラグ認識部１４は、フラグ書換部１２によって、上位公開することを示すフラグに書き換えられた属性の有無を認識し、属性表示部１５にその結果を通知する。
【００９４】
属性表示部１５は、ユーザに指定されたオブジェクトを表示する場合には、オブジェクトに付されているすべての属性を記憶装置７５から読み出してＲＡＭ１７に記憶させ、属性名と属性値とを表示する。
【００９５】
また、属性表示部１５は、グループオブジェクトが作成された場合には、記憶装置７５からグループ化するオブジェクトを読み出してＲＡＭ１７に記憶させ、このオブジェクトに属する属性の中から、まず、各オブジェクトに共通する属性であって、その内容が共通する属性を抽出して、その属性名と属性値とをディスプレイ７２に表示させる。
【００９６】
そして、フラグ認識部１５で認識された上位公開フラグが付された属性について、属性名と属性値とを表示する。
【００９７】
本実施形態では、その属性がどのオブジェクトの属性であるかを示すために、属性名に、属性表示部１５が表示しているグループオブジェクトから、そのオブジェクトへの相対パスを付して表示している。
【００９８】
なお、相対パスとは、属性を表示しているグループオブジェクトから、属性が付されているオブジェクトへ到達するように、子オブジェクトを選択した場合に、経過したオブジェクトの名前（名前属性の属性値）と、到着したオブジェクトの名前と、必要に応じて各オブジェクトの名前の間に配したセパレータとからなる文字列をいう。
【００９９】
属性編集部１６は、属性表示部１５によってディスプレイ７２に表示された属性値の設定を、ユーザの指定した属性値に変更する。
【０１００】
例えば、グループオブジェクトの表示画面から、描画オブジェクトの位置属性の属性値を設定変更する場合には、名前属性の属性値の入力をユーザに促す画面を表示して、ユーザが入力した値を記憶する。
【０１０１】
ＲＡＭ１７は、図３に示すような、各オブジェクトにおいて表示される属性に関する情報を、記憶装置７５から取り出してテーブル形式で記憶している。
【０１０２】
ここで、上記のような構成を備えた本実施形態の作画装置により、指定した属性を上位公開する処理について、図２に示すディスプレイ７２に表示される図４〜図８に示す画面表示例と、図９〜図１１に示すフローチャートに従って説明すれば以下のとおりである。
【０１０３】
最初に、上位公開する属性を指定する処理について説明する。
【０１０４】
上位公開する属性の指定する場合には、図９に示すように、Ｓ１において、ユーザによって、オブジェクトに付されている属性の中から、グループオブジェクトに上位公開する属性が指定されて、その属性が図１の属性指定部１１に入力される。
【０１０５】
ここでは、一例として、図４に示すオブジェクト「四角」と、図５に示すオブジェクト「文字列」とをグループ化する場合について説明する。
【０１０６】
なお、上位公開する属性の指定は、図６に示すように、表示画面を介して、オブジェクト「四角」の中から、属性「線幅」上で右クリックして出現するメニューの中から上位公開を選択して行われる。
【０１０７】
このとき、上位公開が選択された属性「線種」は、オブジェクト「四角」を示す表示画面上で、太文字で表示され、他の属性と差別化される。
【０１０８】
これにより、ユーザは、自分が上位公開することを指定した「属性」を容易に判別することができる。
【０１０９】
次に、Ｓ２において、属性指定部１１が、各オブジェクトに付されている属性に関する情報を格納している記憶装置７５から、入力された属性の情報を取り出し、ＲＡＭ１７に保存する。
【０１１０】
そして、Ｓ３において、属性編集部１６が、上位公開する属性の情報として付されたフラグを、図３に示すように、上位公開することを示す「○」に書き換える。
【０１１１】
次に、図９において指定された上位公開するようにフラグが書き換えられた属性を上位公開する処理について、図１０を用いて説明する。
【０１１２】
グループオブジェクト作成部１３が、Ｓ１１において、ユーザによって、グループオブジェクトを構成するために選択された複数のオブジェクトをグループ化する。
【０１１３】
次に、Ｓ１２において、属性表示部１５が、グループ化された複数のオブジェクトに共通する属性であって、その内容が共通する属性を抽出して、その属性名と属性値とをディスプレイ７２に表示させる。
【０１１４】
図８に示す表示画面では、属性「上位置」、「左位置」、「幅」、「高さ」および「アニメーション」が共通する属性に該当する。
【０１１５】
次に、フラグ認識部１４が、Ｓ１３において、フラグが付された属性がないか、ＲＡＭ１７中を確認する。
【０１１６】
ここで、Ｓ１３において、フラグ認識部１６が、フラグ付きの属性がないと判定した場合には、Ｓ１２において選択された各オブジェクトに共通する属性のみを属性表示部１５がグループオブジェクトに公開して処理を終了する。
【０１１７】
一方、Ｓ１３において、フラグ認識部１４が、フラグ付きの属性があると判定した場合には、Ｓ１４において、属性表示部１５が、その属性を上位層であるグループオブジェクト中に上位公開して、処理を終了する。
【０１１８】
図８に示す表示画面では、図３に示すテーブル中の「グループ１」の欄の『上位公開「四角／線種」』に基づいて表示された、「四角１．線種」が上位公開された属性に該当する。
【０１１９】
これにより、ユーザは、複数の描画オブジェクトをグループ化して上位層となるグループオブジェクトを作成した場合であっても、グループオブジェクトの表示画面から、下位層の描画オブジェクトに付された属性を表示できる
なお、グループオブジェクト中に上位公開された場合には、図８に示すように、上位層の描画オブジェクトを表示する画面に公開された下位層の描画オブジェクトに付された属性を表示する画面上で、「四角１．線種」と下位層の描画オブジェクト名「四角１」とその属性名「線種」とが表示される。
【０１２０】
これにより、ユーザは、上位層の描画オブジェクトを表示する画面において、上位公開された属性が、下位層の描画オブジェクトのうち、どの描画オブジェクトに属する属性であるかを認識できる。よって、上位公開した属性に関する情報が格納されているオブジェクトをすぐに認識できるため、上位公開を解除したい場合には、ユーザは容易にその属性が付されたオブジェクトの画面を開いて上位公開の指定を解除することができる。
【０１２１】
さらに、上記のような処理によって、上位公開された属性の属性値の設定を変更する処理について、図１１のフローチャートを用いて説明する。
【０１２２】
まず、Ｓ２１において、ユーザが上位公開されたグループオブジェクトの表示画面に表示された属性の中から設定変更する属性を指定すると、属性編集部１６は、その指定操作によって、その属性値が変更される属性を特定する。
【０１２３】
次に、Ｓ２２において、属性編集部１６が、ＲＡＭ１７に格納されたテーブルにおいて、その属性を付されたオブジェクトに関する情報が記録された部分にアクセスし、さらに、そのオブジェクトに付されている属性に関する情報が記録された部分にアクセスして、設定変更する属性値をディスプレイ７２へ表示する。
【０１２４】
ここで、ユーザによって、設定変更する値が入力されると、属性編集部１６は、ＲＡＭ１７に格納された属性値に関するデータを入力された値に書き換え、Ｓ２３において、設定変更後の属性値をディスプレイ７２に表示させる。
【０１２５】
これにより、ユーザは、設定変更する属性が付されているオブジェクトまで戻って設定変更する必要が無くなり、上位公開された表示画面上から属性値の変更をすることが可能になるため、操作性をさらに向上させることができる。
【０１２６】
また、本発明の目的は、上述した機能を実現するソフトウェアである作画プログラムとしても達成可能である。
【０１２７】
また、本発明の目的は、上述した機能を実現するソフトウェアであるプログラムのプログラムコードをコンピュータで読み取り可能に記録した記録媒体を、システムあるいは装置に供給し、そのシステムあるいは装置のコンピュータ（またはＣＰＵ，ＭＰＵ）が記録媒体に記録されているプログラムコードを読み出し実行することによっても達成可能である。この場合、記録媒体から読み出されたプログラムコード自体が上述した機能を実現することになり、そのプログラムコードを記録した記録媒体は本発明を構成する。
【０１２８】
なお、上記記録媒体は、磁気テープやカセットテープ、フロッピー（登録商標）ディスク、ハードディスク等の磁気ディスクや、ＣＤ−ＲＯＭ／ＭＯ／ＭＤ／ＤＶＤ／ＣＤ−Ｒ等の光ディスク、ＩＣカード（メモリカードを含む）、あるいはマスクＲＯＭ／ＥＰＲＯＭ／ＥＥＰＲＯＭ／フラッシュＲＯＭ等の半導体メモリ等を用いることができる。
【０１２９】
なお、本実施形態では、本発明をプログラマブル表示器における作画装置に適用した例を挙げて説明したが、本発明はこれに限定されるものではない。例えば、上述した作画装置のように、複数のオブジェクトをグループ化して１つの上位層のオブジェクトを作成し、２段以上のツリー型のデータ構造が構築された情報処理装置であれば同様に適用可能である。
【０１３０】
また、本実施形態では、上位公開する属性として、グループ化する複数の描画オブジェクトに共通する属性を選択することを前提としていたが、上位公開する属性はこれに限定されるものではない。例えば、予め設定された特定の属性について、グループ化した上位層の描画オブジェクトにおいて表示されるようにしてもよい。
【０１３１】
また、本発明は、表示対象となる描画オブジェクトが指定された場合、各描画オブジェクトを、それぞれに付された属性とともに記憶する記憶媒体から、上記表示対象となる描画オブジェクトに付された属性を読み出し、各属性の内容を表示する表示手段を有する、フラグ判定手段、属性表示手段を備えた作画装置による作画方法において、フラグ判定手段が、上記表示対象となるオブジェクトが複数の描画オブジェクトを含むグループオブジェクトである場合、上記記録媒体に記録された属性のうち、上記複数の描画オブジェクトに付されている各属性に、上位公開することを示すフラグが付されているか否かを判定するステップと、属性表示手段が、上記フラグ判定手段が認識したフラグ付きの属性の内容を、上記グループオブジェクトの属性として上記表示手段に表示させるステップと、を備えていることを特徴とする作画方法と表現することもできる。
【０１３２】
また、属性編集手段を備えた作画装置による作画方法であって、属性編集手段が、上記上位公開された属性の内容を、上記グループオブジェクトの表示画面上から変更するステップを備えていることを特徴とする作画方法であってもよい。
【０１３３】
さらに、属性指定手段、フラグ書換手段を備えた作画装置による作画方法であって、属性指定手段が、上記表示手段にその内容が表示されている属性に対して、上位公開するか否かの指示を受け付けるステップと、フラグ書換手段が、上記指示に応じて、上記記憶媒体に記録された属性に付されたフラグに関する情報を書き換えるステップと、を備えていることを特徴とする作画方法であってもよい。
【０１３４】
【発明の効果】
本発明の情報処理装置は、以上のように、表示対象のオブジェクトが複数のオブジェクトを含むグループオブジェクトである場合、上記記録媒体に記録された属性のうち、上記複数のオブジェクトに付されている各属性に、上位公開することを示すフラグが付されているか否かを判定するフラグ判定手段と、上記フラグ判定手段が認識したフラグ付きの属性の内容を、上記グループオブジェクトの属性として上記表示手段に表示させる属性表示手段と、を備えている構成である。
【０１３５】
それゆえ、複数のオブジェクトをグループ化したグループオブジェクトに付された属性の内容を表示する表示画面において、下位層のオブジェクトに付されている該オブジェクトに固有の属性の内容を表示することができるという効果を奏する。
【０１３６】
このため、下位層のオブジェクトだけに付されているそのオブジェクトに固有の属性の内容を確認する場合でも、グループ化を解除して下位層のオブジェクトまで戻って確認する必要が無くなり、ユーザの操作性を向上させることができる。
【０１３７】
上記上位公開された属性の内容を、上記グループオブジェクトの表示画面上から変更する属性編集手段を備えていることがより好ましい。
【０１３８】
それゆえ、上位公開した属性について属性の内容を設定変更する場合には、グループ化を解除して下位層のオブジェクトまで戻らなくても、上位層のグループオブジェクトの表示画面上から上位公開された属性の内容を設定変更することができる。このため、ユーザの操作性をさらに向上させることができるという効果を奏する。
【０１３９】
上記表示手段に表示されている属性の内容に対して、上位公開するか否かの指示を受け付ける属性指定手段と、上記指示に応じて、上記記憶媒体に記録された属性に付されたフラグに関する情報を書き換えるフラグ書換手段と、を備えていることがより好ましい。
【０１４０】
それゆえ、ユーザは、各オブジェクトに付されている属性の中から、所望の属性名を指定して、そのフラグに関する情報を上位公開することを示すフラグに書き換えることができる。このため、自分が希望する属性の内容をグループオブジェクトに上位公開することが可能になるという効果を奏する。
【０１４１】
本発明の作画装置は、以上のように、表示対象となるオブジェクトが複数の描画オブジェクトを含むグループオブジェクトである場合、上記記録媒体に記録された属性のうち、上記複数の描画オブジェクトに付されている各属性に、上位公開することを示すフラグが付されているか否かを判定するフラグ判定手段と、上記フラグ判定手段が認識したフラグ付きの属性の内容を、上記グループオブジェクトの属性として上記表示手段に表示させる属性表示手段と、を備えている構成である。
【０１４２】
それゆえ、複数の描画オブジェクトをグループ化したグループオブジェクトに付された属性の内容を表示する表示画面において、下位層の描画オブジェクトに付されている該描画オブジェクトに固有の属性の内容を表示することができるという効果を奏する。
【０１４３】
このため、下位層の描画オブジェクトだけに付されているその描画オブジェクトに固有の属性の内容を確認する場合でも、グループ化を解除して下位層の描画オブジェクトまで戻って確認する必要が無くなり、ユーザの操作性を向上させることができる。
【０１４４】
上記上位公開された属性の内容を、上記グループオブジェクトの表示画面上から変更する属性編集手段を備えていることがより好ましい。
【０１４５】
それゆえ、上位公開した属性について属性の内容を設定変更する場合には、グループ化を解除して下位層の描画オブジェクトまで戻らなくても、上位層のグループオブジェクトの表示画面上から上位公開された属性の内容を設定変更することができる。このため、ユーザの操作性をさらに向上させることができるという効果を奏する。
【０１４６】
上記表示手段に表示されている属性の内容に対して、上位公開するか否かの指示を受け付ける属性指定手段と、上記指示に応じて、上記記憶媒体に記録された属性に付されたフラグに関する情報を書き換えるフラグ書換手段と、を備えていることがより好ましい。
【０１４７】
それゆえ、ユーザは、各描画オブジェクトに付されている属性の中から、所望の属性名を指定して、上位公開することを示すフラグに書き換えることができる。このため、自分が希望する属性の内容をグループオブジェクトに上位公開することが可能になるという効果を奏する。
【０１４８】
上記属性表示手段は、上記上位公開された属性の内容を上位層のグループオブジェクトに付されている他の属性と差別化して表示することがより好ましい。
【０１４９】
それゆえ、ユーザは、上位公開されている属性の内容を容易に認識することができるという効果を奏する。
【０１５０】
上記属性表示手段は、上記上位公開した属性の内容について、該属性の内容にその属性が付されたオブジェクト名を合わせて表示することがより好ましい。
【０１５１】
それゆえ、ユーザは、上位公開した属性が元々どのオブジェクトに属するものであるかを容易に理解できる。よって、上位公開を解除する場合には、すぐにそのオブジェクトまで戻って上位公開の指定を解除することができるという効果を奏する。
【０１５２】
本発明の作画方法は、以上のように、フラグ判定手段が、上記表示対象となるオブジェクトが複数の描画オブジェクトを含むグループオブジェクトである場合、上記記録媒体に記録された属性のうち、上記複数の描画オブジェクトに付されている各属性に、上位公開することを示すフラグが付されているか否かを判定するステップと、属性表示手段が、上記フラグ判定手段が認識したフラグ付きの属性の内容を、上記グループオブジェクトの属性として上記表示手段に表示させるステップと、を備えている方法である。
【０１５３】
それゆえ、複数の描画オブジェクトをグループ化したグループオブジェクトに付された属性の内容を表示する表示画面において、下位層の描画オブジェクトに付されている該描画オブジェクトに固有の属性の内容を表示することができるという効果を奏する。
【０１５４】
このため、下位層の描画オブジェクトだけに付されているその描画オブジェクトに固有の属性の内容を確認する場合でも、グループ化を解除して下位層の描画オブジェクトまで戻って確認する必要が無くなり、ユーザの操作性を向上させることができる。
【０１５５】
属性編集手段が、上記上位公開された属性の内容を、上記グループオブジェクトの表示画面上から変更するステップを備えていることがより好ましい。
【０１５６】
それゆえ、上位公開した属性の内容を設定変更する場合には、グループ化を解除して下位層の描画オブジェクトまで戻らなくても、上位層のグループオブジェクトの表示画面上から上位公開された属性の内容を設定変更することができる。このため、ユーザの操作性をさらに向上させることができるという効果を奏する。
【０１５７】
属性指定手段が、上記表示手段に表示されている属性の内容に対して、上位公開するか否かの指示を受け付けるステップと、フラグ書換手段が、上記指示に応じて、上記記憶媒体に記録された属性に付されたフラグに関する情報を書き換えるステップと、を備えていることがより好ましい。
【０１５８】
それゆえ、ユーザは、各描画オブジェクトに付されている属性の中から、所望の属性名を指定して、フラグに関する情報を上位公開することを示すフラグに書き換えることができる。このため、自分が希望する属性の内容をグループオブジェクトに上位公開することが可能になるという効果を奏する。
【０１５９】
本発明の作画プログラムは、以上のように、上記作画装置の上記手段としてコンピュータを機能させる構成である。
【０１６０】
それゆえ、上記プログラムによって、上記作画装置を実現することができるという効果を奏する。
【０１６１】
本発明の記録媒体は、以上のように、上記作画装置の上記手段としてコンピュータを機能させる作画プログラムを記録した構成である。
【０１６２】
それゆえ、上記記録媒体から読み出された作画プログラムによって、上記作画装置を実現することができるという効果を奏する。
【図面の簡単な説明】
【図１】本発明の一実施形態に係る作画装置の内部の構成を概略的に示す機能ブロック図である。
【図２】図１の作画装置を備えているプログラマブル表示器を含む制御システムの構成を概略的に示す機能ブロック図である。
【図３】図１に示すＲＡＭに格納されたグループオブジェクト、オブジェクト、属性に関する情報を示すテーブルである。
【図４】図１の作画装置によってグループ化されるオブジェクトの一例を表示する画面を示す図である。
【図５】図１の作画装置によってグループ化されるオブジェクトの一例を表示する画面を示す図である。
【図６】図４に示す表示画面上で上位公開する属性を指定する際の表示例について示す図である。
【図７】図６において上位公開が指定された属性が表示されてた例を示す図である。
【図８】図４および図５に示すオブジェクトをグループ化した場合の、グループオブジェクトの表示画面の一例を示す図である。
【図９】本発明の作画装置による、上位公開する属性を指定する際の処理の流れについて示すフローチャートである。
【図１０】本発明の作画装置による、上位公開する際の処理の流れについて示すフローチャートである。
【図１１】本発明の作画装置による、上位公開した属性の属性値を設定変更する際の処理の流れについて示すフローチャートである。
【図１２】従来の作画装置において、グループ化されるオブジェクトの一例を表示する画面を示す図である。
【図１３】従来の作画装置において、グループ化されるオブジェクトの一例を表示する画面を示す図である。
【図１４】従来の作画装置によって、図１２および図１４のオブジェクトをグループ化した場合に、グループオブジェクトの属性として表示される画面を示す図である。
【符号の説明】
５      プログラマブル表示器
７      制御用ホストコンピュータ（情報処理装置、作画装置）
１１      属性指定部（属性指定手段）
１２      フラグ書換部（フラグ書換手段）
１３      グループオブジェクト作成部（グループオブジェクト作成手段）
１４      フラグ認識部（フラグ判定手段）
１５      属性表示部（属性表示手段）
１６      属性編集部
１７      ＲＡＭ（外部の記憶手段）
７２      ディスプレイ（表示画面）
７５      記憶装置
【図１】
2004302636.tif 000003
【図２】
2004302636.tif 000004
【図３】
2004302636.tif 000005
【図４】
2004302636.tif 000006
【図５】
2004302636.tif 000007
【図６】
2004302636.tif 000008
【図７】
2004302636.tif 000009
【図８】
2004302636.tif 000010
【図９】
2004302636.tif 000011
【図１０】
2004302636.tif 000012
【図１１】
2004302636.tif 000013
【図１２】
2004302636.tif 000014
【図１３】
2004302636.tif 000015
【図１４】
2004302636.tif 000016